(57)【要約】【課題】ＴＶ番組録画装置において、シリーズ番組が終了していれば録画予約を取り消して、録画予約のリストが埋まって新規の録画予約ができなくなることを防ぐことができる。【解決手段】録画装置１は、取得した電子番組情報に録画予約されているシリーズ番組のシリーズＩＤが存在するか否かを判定し、メモリ部１５に保存された不存在期間が、ユーザにより設定された閾値を超えているか否かを判定し、不存在期間が閾値を超えていると判定される場合、録画予約されているシリーズ番組の放送が終了しているかどうかを確認する旨のメッセージをＴＶ画面にＯＳＤ表示するＣＰＵ１４を備える。録画装置１は、メッセージでユーザにシリーズ番組の終了を確認を促し、ユーザがシリーズ番組が終了していることを確認してシリーズ番組の録画予約を取り消すことで、録画予約のリストが埋まって新規の録画予約ができなくなることを防ぐことができる。【選択図】図１
2010288189.tif 000002
【特許請求の範囲】
【請求項１】
デジタル方式のテレビジョン（以下、ＴＶという）放送を受信して、受信された映像情報を録画するＴＶ番組録画装置において、
デジタル方式のＴＶ放送を受信する受信手段と、
前記受信手段を介して、一連のシリーズで放送されるＴＶ番組（以下、シリーズ番組という）にそれぞれ設定されたＩＤ（以下、シリーズＩＤという）を含む電子番組情報を取得する番組情報取得手段と、
前記番組情報取得手段によって取得された電子番組情報を保存する番組情報記憶手段と、
前記番組情報記憶手段に保存された電子番組情報のシリーズＩＤを用いて、シリーズ番組の録画予約をする録画予約手段と、
前記番組情報取得手段によって電子番組情報を取得したとき、該取得した電子番組情報に前記録画予約されているシリーズ番組のシリーズＩＤが存在するか否かを判定するシリーズＩＤ判定手段と、
前記シリーズＩＤ判定手段によって前記録画予約されているシリーズ番組のシリーズＩＤが前記電子番組情報に存在しないと判定される場合、該録画予約されているシリーズ番組毎に、該シリーズＩＤが電子番組情報に存在していない期間を保存する期間記憶手段と、
前記期間記憶手段に保存された期間が、ユーザにより設定された閾値を超えているか否かを判定する期間判定手段と、
前記期間判定手段によって前記期間記憶手段に保存された期間が前記閾値を超えていると判定される場合、前記録画予約されているシリーズ番組の放送が終了しているかどうかを確認する旨のメッセージをＴＶ画面にＯＳＤ表示するメッセージ表示手段と、を備えることを特徴とするＴＶ番組録画装置。
【請求項２】
前記期間判定手段によって前記期間記憶手段に保存された期間が前記閾値を超えていないと判定される場合、ユーザがリモコン又は本体に設けられた所定の対応キーを操作することで、該期間記憶手段に保存された期間の一覧を表示する一覧表示手段を備えることを特徴とする請求項１に記載のＴＶ番組録画装置。
【発明の詳細な説明】
【技術分野】
【０００１】
本発明は、デジタル方式のテレビジョン（以下、ＴＶという）放送を受信し、受信された映像情報を録画するＴＶ番組録画装置に関する。
【背景技術】
【０００２】
デジタル方式のＴＶ放送信号を受信し、受信された映像情報を録画するＨＤＤ（Hard  Disk  Drive）レコーダ等を備えるＴＶ番組録画装置は、ＨＤＤ等の記録媒体の大容量化により、多数の番組を予約録画できる。そのため、ＴＶ番組録画装置は、視聴したいＴＶ番組を放送時間に視聴するのではなく、予約録画した番組をユーザの都合のよい時間に視聴するための装置、いわゆるＴＶ番組のタイムシフトマシンとして利用されている。また、デジタル方式のＴＶ放送は、映像や音声の情報の送信に加え、電子番組情報（番組名、番組内容、番組開始時刻、番組終了時刻、番組ジャンルコード等）が送信されている。
【０００３】
ところで、ＴＶ番組には、例えば、連続ドラマ、アニメーション番組などといった、予め設定された所定曜日の所定時刻に放送され、一連のシリーズで放送されるＴＶ番組（以下、シリーズ番組という）がある。このようなシリーズ番組には、各シリーズ毎にシリーズＩＤがそれぞれ与えられている。このシリーズＩＤは、電子番組情報に含まれており、シリーズＩＤを用いることでシリーズ番組の録画予約が容易となる。また、録画予約をしているシリーズ番組のシリーズＩＤが電子番組情報に存在しなくなってから所定の期間、例えば、９０日間が経過すれば、シリーズ番組の放送が終了したとしてシリーズ番組の録画予約が自動的に取り消される。しかし、シリーズ予約が自動的に取り消されるのを待っていると、放送が終了したシリーズ番組がしばらくの間、録画予約されたままの状態となるので、その分だけ番組を録画予約するための予約リストが埋まって新規の録画予約ができなくなるという問題がある。
【０００４】
そこで、電子番組情報に最終回を示す情報が含まれることを検出したときに、シリーズ番組の録画予約を自動的に取り消すＴＶ番組録画装置が知られている（例えば、引用文献１参照）。また、シリーズ予約をしている番組のタイトル名が電子番組情報に含まれていないとき、録画予約を自動的に取り消すＴＶ番組録画装置が知られている（例えば、引用文献２参照）。また、録画をする回数や、録画を止める日付などの予約期限を設定することで録画予約を自動的に取り消すＴＶ番組録画装置が知られている（例えば、引用文献３参照）。しかし、これらＴＶ番組録画装置は、シリーズＩＤを用いて録画予約を行うものではないので、上記の問題を解決することができない。
【０００５】
また、シリーズＩＤを使って録画予約が行われ、録画したシリーズ番組の再生映像の表示が停止されたとき、このシリーズ番組の録画予約を維持するかどうかを確認する旨のメッセージをＴＶ画面に表示するＴＶ番組録画装置が知られている（例えば、引用文献３参照）。このＴＶ番組録画装置は、シリーズ番組の再生映像の表示が停止する都度、録画予約に関するメッセージが表示されるので、ユーザにとって使い勝手が悪い。
【先行技術文献】
【特許文献】
【０００６】
【特許文献１】特開２００８−２７１１１４号公報
【特許文献２】特開２００６−１４８７１８号公報
【特許文献３】特開２００３−３１９２７２号公報
【特許文献４】特開２００５−３２８４８５号公報
【発明の概要】
【発明が解決しようとする課題】
【０００７】
本発明は、上記問題を解決するためになされたものであり、シリーズ番組が放送終了していれば録画予約を取り消し、録画予約のリストが埋まって新規の録画予約ができなくなることを防ぐことができるＴＶ番組録画装置を提供することを目的とする。
【課題を解決するための手段】
【０００８】
上記目的を達成するために請求項１の発明は、デジタル方式のテレビジョン（以下、ＴＶという）放送を受信して、受信された映像情報を録画するＴＶ番組録画装置において、デジタル方式のＴＶ放送を受信する受信手段と、前記受信手段を介して、一連のシリーズで放送されるＴＶ番組（以下、シリーズ番組という）にそれぞれ設定されたＩＤ（以下、シリーズＩＤという）を含む電子番組情報を取得する番組情報取得手段と、前記番組情報取得手段によって取得された電子番組情報を保存する番組情報記憶手段と、前記番組情報記憶手段に保存された電子番組情報のシリーズＩＤを用いて、シリーズ番組の録画予約をする録画予約手段と、前記番組情報取得手段によって電子番組情報を取得したとき、該取得した電子番組情報に前記録画予約されているシリーズ番組のシリーズＩＤが存在するか否かを判定するシリーズＩＤ判定手段と、前記シリーズＩＤ判定手段によって前記録画予約されているシリーズ番組のシリーズＩＤが前記電子番組情報に存在しないと判定される場合、該録画予約されているシリーズ番組毎に、該シリーズＩＤが電子番組情報に存在していない期間を保存する期間記憶手段と、前記期間記憶手段に保存された期間が、ユーザにより設定された閾値を超えているか否かを判定する期間判定手段と、前記期間判定手段によって前記期間記憶手段に保存された期間が前記閾値を超えていると判定される場合、前記録画予約されているシリーズ番組の放送が終了しているかどうかを確認する旨のメッセージをＴＶ画面にＯＳＤ表示するメッセージ表示手段と、を備えるものである。
【０００９】
請求項２の発明は、請求項１に記載のＴＶ番組録画装置において、前記期間判定手段によって前記期間記憶手段に保存された期間が前記閾値を超えていないと判定される場合、ユーザがリモコン又は本体に設けられた所定の対応キーを操作することにより、該期間記憶手段に保存された期間の一覧を表示する一覧表示手段を備えるものである。
【発明の効果】
【００１０】
請求項１の発明によれば、録画予約されているシリーズ番組の放送が終了しているかどうかを確認する旨のメッセージを表示することにより、ユーザにシリーズ番組の放送終了を確認する作業を促すことができる。そして、ユーザがシリーズ番組の放送終了を確認してシリーズ番組の録画予約を取り消すことにより、録画予約のリストが埋まって新規の録画予約ができなくなることを防ぐことができる。
【００１１】
請求項２の発明によれば、シリーズＩＤが電子番組情報に存在していない期間の一覧を表示することにより、ユーザにシリーズ番組の放送終了を確認する作業を促すことができる。そして、ユーザがシリーズ番組の放送終了を確認してシリーズ番組の録画予約を取り消すことにより、録画予約のリストが埋まって新規の録画予約ができなくなることを防ぐことができる。
【図面の簡単な説明】
【００１２】
【図１】本発明の一実施形態に係るＴＶ番組録画装置のブロック図。
【図２】同ＴＶ番組録画装置におけるシリーズ予約を取り消す手順のフローチャート。
【発明を実施するための形態】
【００１３】
図１は、本発明の一実施形態に係るＴＶ番組録画装置１（以下、録画装置という）を示す。図１に示されるように、録画装置１は、アンテナ２、チューナ部３（受信手段）、リモコン装置４、リモコン受信部５、映像音声復調部６、映像音声記録部７、映像音声切替部８、映像音声信号処理部９、ＯＳＤ部１０（オンスクリーンディスプレイ）、表示部１１、スピーカ１２、ＥＰＧ取得部１３（番組情報取得手段）、ＣＰＵ１４（録画予約手段、シリーズＩＤ判定手段、期間判定手段、メッセージ表示手段、一覧表示手段）、及びメモリ部１５（番組情報記憶手段、期間記憶手段）を備える。
【００１４】
アンテナ２は、デジタル方式のＴＶ放送信号を受信し、チューナ部３は、アンテナ２で受信した複数のＴＶ放送信号からリモコン装置４で選択された受信チャンネルを選局する。映像音声復調部６は、この選局されたチャンネルのＴＶ放送信号から映像信号と音声信号を含む映像音声信号を復調し、この復調された映像音声信号は、映像音声記録部７と映像音声切替部８に供給される。また、チューナ部３は、電子番組情報が付加されているＴＶ放送信号をＥＰＧ取得部１３に入力する。
【００１５】
映像音声記録部７は、ＨＤＤ、ＤＶＤ−ＲＡＭ、及び半導体メモリ等の映像信号及び音声信号を記録する記憶媒体を備え、これらの記憶媒体に映像音声復調部６からの映像音声信号を記録することで録画する。また、この映像音声記録部７で録画された映像音声信号は、映像音声切替部８に供給される。
【００１６】
映像音声切替部８は、映像音声復調部６から供給される映像音声信号と、映像音声記録部７から供給される映像音声記録部７に録画された映像音声信号とのいずれかに切替えて、映像音声信号を出力する。この映像音声切替部８から出力された映像音声信号は、映像音声信号処理部９に供給される。
【００１７】
映像音声信号処理部９は、映像音声切替部８からの映像音声信号を映像信号と音声信号に分けて再生処理し、映像信号については、ＲＧＢ信号の映像信号に変換して、この変換したＲＧＢ信号をＯＳＤ部１０に加える。ＯＳＤ部１０は、このＲＧＢ信号の映像信号に、設定メニュー画面などを重畳して、液晶ディスプレイ等からなる表示部１１に表示する。また、映像音声信号処理部９は、再生処理して得られた音声信号を、さらにステレオ音声信号などにデコードし、このデコードされた音声信号は、スピーカ１２から出力される。
【００１８】
リモコン装置４は、リモコン受信部５に指令を送出するための赤外線利用の遠隔操作装置である。リモコン装置４に設けられた対応キー（図示せず）を操作すると、その対応キーに対応した指令を意味する信号光（リモコン信号）が発光部から送出される。リモコン装置４の各対応キーは、例えば、録画装置１の電源のオン／オフの指令や、録画予約されている一連のシリーズで放送されるＴＶ番組（以下、シリーズ番組という）にそれぞれ設定されたＩＤ（以下、シリーズＩＤという）が電子番組情報に存在していない期間（以下、不存在期間）の一覧を表示する指令などに対応している。なお、対応キーは、録画装置１の本体に備えられていてもよい。リモコン受信部５は、リモコン装置４の対応キーが操作されたときに出射される信号光を受光し、これを電気信号に変換してＣＰＵ１４に与える。
【００１９】
ＥＰＧ取得部１３は、チューナ部３からの映像音声信号が付加されているＴＶ放送信号からシリーズＩＤを含む電子番組情報のデータを抽出して取得し、このデータをメモリ部１５に記憶する。ＣＰＵ１４は、メモリ部１５に格納されている電子番組情報に基いて放送予定の番組ガイドを作成し、ＯＳＤ部１０にその表示指令を出す。ＯＳＤ部１０は、ＣＰＵ１４により電子番組情報を映像信号のフォートに変換されたＥＰＧ信号を、映像音声信号処理部９からの映像信号にスーパーインポーズする。このＥＰＧ信号が重畳された映像信号は、液晶ディスプレイ等からなる表示部１１に表示され、この表示部１１において電子番組情報を見ることができる。
【００２０】
ＣＰＵ１４は、ユーザによるシリーズ番組の録画予約の登録を行い（録画予約手段として機能する）、録画予約されているシリーズ番組のシリーズＩＤが電子番組情報に存在するか否かの判定を行う（シリーズＩＤ判定手段として機能する）と共に、装置全体を制御する。また、ＣＰＵ１４は、不存在期間がユーザにより設定された閾値を超えているか否かを判定し（期間判定手段として機能する）、不存在期間が閾値を超えていると判定される場合、録画予約されているシリーズ番組の放送が終了しているかどうかを確認する旨のメッセージの表示指令をＯＳＤ部１０に出す（メッセージ表示手段として機能する）。また、ＣＰＵ１４は、不存在期間が閾値を超えていないと判定される場合、ユーザがリモコン装置４に設けられた所定の対応キーを操作することで、メモリ部１５に保存された不存在期間の一覧を表示する（一覧表示手段として機能する）。
【００２１】
メモリ部１５は、ＣＰＵ１４が実行する各種制御動作に必要なプログラム等を記憶するＲＯＭ、ＲＡＭ及び不揮発性メモリ等の半導体メモリからなり、リモコン装置４の操作により表示部１１に表示される設定メニュー画面情報などを記憶する。具体的には、ＥＰＧ取得部１３によって取得された電子番組情報を保存し（番組情報記憶手段として機能する）、録画予約されているシリーズ番組毎に不存在期間を保存する（期間記憶手段として機能する）と共に、録画予約されている番組の情報を保存する。不存在期間は、最後にシリーズＩＤが含まれる電子番組情報を取得したときから、直近のシリーズＩＤが含まれない電子番組情報を取得したときまでの日数である。なお、不存在期間は、最初にシリーズＩＤが含まれない電子番組情報を取得したときから、直近のシリーズＩＤが含まれない電子番組情報を取得したときまでの日数であってもよい。また、メモリ部１５は、ユーザによって予め設定される閾値として、例えば、１４日間や、３０日間などの日数が保存される。録画装置１は、ユーザが閾値を調整することで、録画予約されているシリーズ番組の放送が終了しているかどうかを確認する旨のメッセージが表示されるタイミングを調整できる。
【００２２】
上記のように構成された録画装置１において、ユーザがシリーズ番組の録画予約を行うとき、リモコン装置４を用いて必要な入力操作を行う。ユーザは、電子番組情報を表示部１１の画面上で見ながらリモコン装置４を操作し、ＣＰＵ１４によってシリーズＩＤを用いてシリーズ番組を録画予約する。ここで、ＣＰＵ１４は、録画予約されているシリーズ番組に関する情報（シリーズＩＤ、番組ＩＤ、番組名、チャンネル、放送時間など）を予約録画情報としてメモリ部１５に格納する。また、シリーズ番組以外の番組を予約するときは、シリーズＩＤを用いないこと以外はシリーズ番組の録画予約と同様にして録画予約を行う。
【００２３】
次に、ユーザは、録画予約されている番組を確認するとき、リモコン装置４の対応キーを操作し、録画予約番組一覧を表示部１１に表示させる。このとき、ＣＰＵ１４は、メモリ部１５から予約録画情報を読み出し、予約録画一覧を作成し、ＯＳＤ部１０にて録画予約番組一覧の画面を表示させる。ユーザは、この録画予約番組一覧の表示画面を確認し、リモコン装置４を操作して録画予約されている番組の中から一つの番組を選択し、この選択した予約録画されている番組に関する電子番組情報をＣＰＵ１４によってメモリ部１５から取り出し、表示させる。
【００２４】
また、ユーザは、録画予約されているシリーズ番組の不存在期間を確認するとき、リモコン装置４の対応キーを操作し、ＣＰＵ１４によってメモリ部１５から不存在期間を読み出し、録画予約されているシリーズ番組の不存在期間の一覧を作成し、この一覧を表示部１１に表示させる。また、録画予約されている番組の録画予約を取り消すときは、リモコン装置４を操作して、録画予約番組一覧を表示させ、この録画予約番組一覧にある録画予約されている番組の中から録画予約を取り消したい番組を選択し、番組の録画予約を取り消す。
【００２５】
次に、上記のように構成された録画装置１について、ユーザがシリーズ番組の録画予約を取り消す動作手順を図２のフローチャートを参照して説明する。まず、ユーザは、メモリ部１５に保存された電子番組情報のシリーズＩＤを用いて、シリーズ番組の録画予約をする（Ｓ１）。録画予約後、ＥＰＧ取得部１３によって電子番組情報を取得し（Ｓ２）、この取得した電子番組情報に、録画予約されているシリーズ番組のシリーズＩＤがＣＰＵ１４によって存在しないと判定される場合（Ｓ３でＮＯ）、ＣＰＵ１４は録画予約されているシリーズ番組毎に不存在期間をメモリ部１５に保存させる（Ｓ４）。次に、メモリ部１５に保存されている不存在期間が、メモリ部１５に保存されている閾値を超えているとＣＰＵ１４によって判定される場合（Ｓ５でＹＥＳ）、ＣＰＵ１４は「シリーズ番組が終了したのでは？」というメッセージをＯＳＤ部１０を用いて表示部１１に表示する。このメッセージを読んだユーザは、電子番組情報などを確認し、シリーズ番組が放送終了していると判断する場合（Ｓ７でＹＥＳ）、このシリーズ番組の録画予約を取り消す（Ｓ８）。一方、取得した電子番組情報に録画予約されているシリーズ番組のシリーズＩＤが存在するとＣＰＵ１４によって判定される場合と（Ｓ３でＹＥＳ）、シリーズ番組が終了していないとユーザが判断する場合には（Ｓ７でＮＯ）、上記Ｓ２以降の処理を繰り返す。
【００２６】
録画装置１は、録画予約されているシリーズ番組の放送が終了しているかどうかを確認する旨のメッセージを表示することで、ユーザにシリーズ番組の終了を確認する作業を促すことができる。そして、ユーザがシリーズ番組が終了していることを確認してシリーズ番組の録画予約を取り消すことで、録画予約のリストが埋まって新規の録画予約ができなくなることを防ぐことができる。
【００２７】
また、メモリ部１５に保存された不存在期間が、メモリ部１５に保存されている閾値を超えていないとＣＰＵ１４によって判定され（Ｓ５でＮＯ）、ユーザがリモコン装置４に設けられた所定の対応キーを操作した場合（Ｓ９でＹＥＳ）、ＣＰＵ１４はメモリ部１５に保存された不存在期間の一覧を表示する（Ｓ１０）。この一覧を見たユーザは、電子番組情報などを確認し、シリーズ番組が終了しているか否かを判断する（Ｓ７）。一方、ユーザが対応キーを操作しない場合（Ｓ９でＮＯ）、上記Ｓ２以降の処理を繰り返す。
【００２８】
録画装置１は、不存在期間の一覧を表示することで、ユーザにシリーズ番組の終了を確認する作業を促すことができる。そして、ユーザがシリーズ番組が終了していることを確認してシリーズ番組の録画予約を取り消すことで、録画予約のリストが埋まって新規の録画予約ができなくなることを防ぐことができる。
【００２９】
なお、本発明は、上記の実施形態の構成に限られず、発明の要旨を変更しない範囲で種々の変形が可能である。例えば、不存在期間をシリーズＩＤが電子番組情報に存在していなかった回数とし、さらに閾値も日数ではなく回数を設定し、これらの回数を比較して判定する期間判定手段であっても構わない。
【符号の説明】
【００３０】
１  録画装置（ＴＶ番組録画装置）
３  チューナ部（受信手段）
１３  ＥＰＧ取得部（番組情報取得手段）
１４  ＣＰＵ（録画予約手段、シリーズＩＤ判定手段、期間判定手段、メッセージ表示手段、一覧表示手段）
１５  メモリ部（番組情報記憶手段、期間記憶手段）
【図１】
2010288189.tif 000003
【図２】
2010288189.tif 000004